(57)【要約】【課題】この発明は利用者が横臥位を取ったときの寝心地を向上させることができるようにした敷布団を提供することにある。【解決手段】弾性芯材１を外装地５で被覆して形成された敷布団であって、弾性芯材は、硬さの異なる複数の弾性シート２〜４を、下から上にゆくにつれて順次柔らかくなるよう積層して形成されていて、弾性芯材には、利用者が横臥したときに、利用者の肩部に対応する部分の少なくとも最下段の弾性シート２を除く部分に、最上段の弾性シート４よりも柔らかな肩部受け弾性材１１が設けられ、臀部に対応する部分の少なくとも最下段の弾性シートを除く部分に、最上段の弾性シートよりも柔らかな臀部受け弾性材１２が設けられている。【選択図】      図１
2006068365.tif 000002
【特許請求の範囲】
【請求項１】
弾性芯材を外装地で被覆して形成された敷布団であって、
上記弾性芯材は、硬さの異なる複数の弾性シートを、下から上にゆくにつれて順次柔らかくなるよう積層して形成されていて、
上記弾性芯材には、利用者が横臥したときに、利用者の肩部に対応する部分の少なくとも最下段の弾性シートを除く部分に、最上段の弾性シートよりも柔らかな肩部受け弾性材が設けられ、臀部に対応する部分の少なくとも最下段の弾性シートを除く部分に、最上段の弾性シートよりも柔らかな臀部受け弾性材が設けられていることを特徴とする敷布団。
【請求項２】
上記弾性芯材は３つの弾性シートが積層されていて、上記肩部受け弾性材は上の２つの弾性シートの厚さに対応する深さで形成された第１の収容部に設けられ、上記臀部受け弾性材は最上段の弾性シートの厚さに対応する深さで形成された第２の収容部に設けられていることを特徴とする請求項１記載の敷布団。
【発明の詳細な説明】
【技術分野】
【０００１】
この発明はウレタンフォームなどによって形成された弾性芯材を外装地で被覆した構成の敷布団に関する。
【背景技術】
【０００２】
敷布団としては、袋状に縫製された外装地の中に綿を収納して形成した構成やウレタンフォームなどによってシート状に形成された弾性芯材を収容した構成などのものが知られている。弾性芯材を収容した敷布団は、弾性芯材の硬さを変えることで、性能を変えることができるため、利用者は好みに応じた性能のものを購入することができるという利点を有する。
【０００３】
ところで、利用者が睡眠するとき、寝姿勢としては上を向いた仰臥位或いは横を向いた横臥位をとることが多い。横臥位の場合、利用者の肩の部分が下方へ大きく突出し、ついで臀部が下方へ突出することになる。そのため、下側に位置する肩の部分や臀部が身体の他の部分に比べて弾性芯材によって圧迫される度合いが大きくなったり、肩の部分が押し上げられて背筋が曲がるため、寝心地が低下するということがある。
【０００４】
そこで、従来では弾性芯材全体を柔らかなウレタンフォームで形成し、横臥位で就寝したときに下になった肩の部分や臀部が圧迫され難いようにした敷布団が開発されている。つまり、利用者が横臥位となったときに、肩部や臀部に対応する部分を弾性変形し易くすることで、利用者に圧迫感を与えることがないようにしている。
【発明の開示】
【発明が解決しようとする課題】
【０００５】
弾性芯材全体を柔らかな材料で形成すると、利用者が横臥位をとったときに、肩部や臀部などが圧迫弾性芯材を弾性変形させて沈むため、圧迫度合いを小さくすることはできる。しかしながら、弾性芯材全体が柔らかいと、肩部や臀部だけでなく、身体が全体的に弾性芯材に沈み込む。そのため、下方へ大きく突出した肩部や臀部が身体の他の部分に比べて相対的に押し上げられるので、背筋が曲がった横臥位となり、寝心地が低下するということがあった。
【０００６】
この発明は、横臥位をとったときに、下方へ大きく突出した肩部や臀部を身体の他の部分に比べて相対的に押し上げられることがないようにすることで、背筋が曲がることのない寝姿勢を保つことができるようにした敷布団を提供することにある。
【課題を解決するための手段】
【０００７】
この発明は、弾性芯材を外装地で被覆して形成された敷布団であって、
上記弾性芯材は、硬さの異なる複数の弾性シートを、下から上にゆくにつれて順次柔らかくなるよう積層して形成されていて、
上記弾性芯材には、利用者が横臥したときに、利用者の肩部に対応する部分の少なくとも最下段の弾性シートを除く部分に、最上段の弾性シートよりも柔らかな肩部受け弾性材が設けられ、臀部に対応する部分の少なくとも最下段の弾性シートを除く部分に、最上段の弾性シートよりも柔らかな臀部受け弾性材が設けられていることを特徴とする式布団にある。
【０００８】
上記弾性芯材は３つの弾性シートが積層されていて、上記肩部受け弾性材は上の２つの弾性シートの厚さに対応する深さで形成された第１の収容部に設けられ、上記臀部受け弾性材は最上段の弾性シートの厚さに対応する深さで形成された第２の収容部に設けられていることが好ましい。
【発明の効果】
【０００９】
この発明によれば、利用者が横臥位をとると、下方へ大きく突出する肩部と臀部とは、それぞれ弾性芯材に設けられた肩部受け弾性材と臀部受け弾性材とを弾性的に圧縮し、利用者の身体の弾性シートによって支持された肩部と臀部以外の部分に対して相対的に大きく沈むから、肩部や臀部が押し上げられて背筋が曲がった寝姿勢となるのを防止することができる。
【発明を実施するための最良の形態】
【００１０】
以下、この発明の一実施の形態を図面を参照して説明する。  
図１はこの発明の敷布団Ｆを示す断面図であって、この敷布団Ｆは弾性芯材１を備えている。この弾性芯材１は矩形板状の複数の弾性シート、この実施の形態では第１乃至第３の３つの弾性シート２〜４を積層して形成されている。弾性芯材１は袋状に縫製された外装地５によって被覆されている。
【００１１】
上記弾性芯材１は、最下段に位置する第１の弾性シート２が第２、第３の弾性シート３，４よりも硬いウレタンフォームによって形成され、第２の弾性シート３は第１の弾性シート２よりも柔らかく、第３の弾性シート４は第２の弾性シート３よりも柔らかなウレタンフォームなどによって形成されている。つまり、第１乃至第３の弾性シート２〜４は、下から上にゆくにつれて順次柔らかくなっている。
【００１２】
図２に示すように利用者Ｕが敷き布団Ｆに横臥したとき、上記弾性芯材１の利用者Ｕの肩部Ｓに対応する部分には第１の収容部７が形成され、臀部Ｈに対応する部分には第２の収容部８が形成されている。この第１の収容部７は、第１の弾性シート２を残して上記第３の弾性シート４と第２のシート３との幅方向中央部分を矩形状に除去することで形成されている。上記第２の収容部８は第３の弾性シート４の幅方向中央部分を矩形状に除去することで形成されている。
【００１３】
上記第１の収容部７には肩部受け弾性材１１が収容されている。この肩部受け弾性材１１は下部層１１ａと上部層１１ｂとの二層構造となっていて、下部層１１ａは弾性芯材１の最も柔らかな第３の弾性シート４よりもさらに柔らかなウレタンフォームなどの弾性材料で形成され、上部層１１ｂは下部層よりもさらに柔らかな弾性材料によって形成されている。
【００１４】
上記第２の収容部８には臀部受け弾性材１２が収容されている。この臀部受け弾性材１２は上記第１の収容部７に設けられた下部層１１ａとほぼ同じ柔らかさの弾性材料によって形成されている。
【００１５】
このような構成の敷布団Ｆに利用者Ｕが図２に示すように横臥位の状態で利用すると、利用者Ｕの肩部Ｓは第１の収容部７に設けられた肩部受け弾性材１１を弾性変形させて支持され、臀部Ｈは第２の収容部８に設けられた臀部受け弾性材１２を弾性変形させて支持される。
【００１６】
肩部受け弾性材１１と臀部受け弾性材１２とは、それぞれ弾性芯材１を形成する第１乃至第３の弾性シート２〜４よりも柔らかな弾性材料で形成されている。そのため、横臥位を取った利用者Ｕの肩部Ｓと臀部Ｈとは上記肩部受け弾性材１１と臀部受け弾性材１２とを弾性的に圧縮変形させて沈み込む。
【００１７】
利用者Ｕの肩部Ｓと臀部Ｈ以外の部分は、肩部受け弾性材１１と臀部受け弾性材１２とに比べて硬い弾性芯材１によって支持される。そのため、利用者Ｕの身体の肩部Ｓと臀部Ｈとは、弾性芯材１の第３の弾性シート４によって直接支持された身体の他の部分よりも相対的に大きく沈み込み、押し上げられることがないから、横臥位となった利用者Ｕは背筋が曲がることのない状態を維持することが可能となる。
【００１８】
上記肩部受け弾性材１１は下部層１１ａと上部層１１ｂとの二層構造とし、一層構造の上記臀部受け弾性材１２に比べて厚さ寸法を大きくしている。そのため、利用者Ｕが横臥位を取ったときに臀部Ｈよりも下方への突出度合いが大きい肩部Ｓを上記肩部受け弾性材１２によって押し上げることなく確実に支持することが可能となる。
【００１９】
しかも、肩部受け弾性材１１は柔らかな上部層１１ｂ及びこの上部層１１ｂよりも硬い下部層１１ａとの二層構造であるばかりか、弾性芯材１の最も硬い第１の弾性シート２を残し、第２、第３の弾性シート３，４を除去して設けられている。
【００２０】
そのため、横臥位をとった利用者Ｕの肩部Ｓは最も柔らかな上部層１１ｂに当たるため、良好な感触が得られるばかりか、上部層１１ｂの下方には順次硬くなる下部層１１ａ及び第１の弾性シート２が設けられているから、肩部Ｓが沈み込むにつれてその肩部Ｓがしっかりと支持されることになるため、安定した状態で横臥位を維持することができる。
【００２１】
同様に、臀部Ｈは臀部受け弾性材１２によって支持される。この臀部受け弾性材１２の下方には、順次硬くなる第２の弾性シート３と第１の弾性シート２が設けられている。そのため、臀部Ｈは臀部受け弾性材１２を弾性変形させて沈み込むと、第２、第１の弾性シート３，２によってしっかりと支持されるから、臀部Ｈも肩部Ｓと同じように安定性よく支持されることになる。
【００２２】
また、肩部受け弾性材１１を弾性芯材１の幅方向中央部だけに設けるようにした。つまり、利用者Ｕが横臥位をとったときには肩部Ｓを支持することができる大きさであるが、仰臥位をとったときには背部の一部に対応する大きさとなる。そのため、仰臥位をとった利用者の背部が上記肩部受け弾性材１１を弾性変形させて第１の収容部７内へ沈み込むことがない。
【００２３】
臀部受け弾性材１２は仰臥位をとった利用者の臀部Ｈを弾性的に支持する。つまり、利用者Ｕが仰臥位をとると、臀部Ｈが下方へ突出するから、臀部受け弾性材１２を圧縮変形させて第２の収容部８内に沈み込む。
【００２４】
したがって、弾性芯材１に横臥位をとったときに好適する肩部受け弾性材１１と臀部受け弾性材１２とを設けても、これらの弾性材１１，１２が仰臥位をとった利用者Ｕの寝姿勢を損なうことがないから、横臥位だけでなく、仰臥位の場合にも良好な寝心地で利用することが可能となる。
【００２５】
この発明は上記一実施の形態に限定されず、種々変形可能である。たとえば弾性芯材は弾性シートを三層構造としたが、二層或いは４層以上であってもよく、要は下から上にゆくにつれて弾性シートの硬さが順次柔らかくなればよい。
【図面の簡単な説明】
【００２６】
【図１】この発明の一実施の形態を示す敷布団の断面図。
【図２】図１に示す敷布団に利用者が横臥した状態を示す図。
【符号の説明】
【００２７】
１…弾性芯材、２…第１の弾性シート、３…第２の弾性シート、４…第３の弾性シート、５…外装地、７…第１の収容部、８…第２の収容部、１１…肩部受け弾性材、１２…臀部受け弾性材。
【図１】
2006068365.tif 000003
【図２】
2006068365.tif 000004